(57)【要約】【課題】要求される端子の数にあわせて、任意の連結部で切断することにより、そのまま所望の基板用コネクタとして用いることが出来る汎用性のある新規な構造の基板用コネクタ及びかかる基板用コネクタの製造に用いることが出来る基板用コネクタ連続体を提供することを、目的とする。【解決手段】端子１２が貫通固定される端子保持部３４が端子保持部３４よりも断面の小さい連結部３２を介して連なった帯状の連続構造体１４が、連結部３２において適当な長さで切断されることにより、複数の端子保持部３４が連なった所定長さをもって台座１６が形成される。また、各端子保持部３４には、台座１６の幅方向両側でそれぞれプリント基板３８に向かって突出する脚部３６が一体成形されており、脚部３６が何れも台座１６の長さ方向で各端子１２間に位置している。【選択図】図１
2010161042.tif 000002
【特許請求の範囲】
【請求項１】
合成樹脂製の台座に対して複数本の端子が貫通固定されており、前記台座がプリント基板の実装面上に載置されると共に、前記端子が前記プリント基板に形成された挿通孔に挿通されて半田付けされることにより該プリント基板に組み付けられる基板用コネクタにおいて、
端子保持部が該端子保持部よりも断面の小さい連結部を介して連なった帯状の連続構造体が、前記連結部において適当な長さで切断されることにより、複数の前記端子保持部が連なった所定長さをもって前記台座が形成されていると共に、各前記端子が前記台座の長さ方向に対して直交する方向で各前記端子保持部に貫通固定されており、更に、各前記端子保持部には、前記台座の幅方向両側でそれぞれ前記プリント基板に向かって突出する脚部が一体成形されており、前記脚部が何れも前記台座の長さ方向で各前記端子間に位置していることを特徴とする基板用コネクタ。
【請求項２】
前記端子保持部において、前記台座の幅方向両側に設けられた前記脚部が、前記端子を挟んで、前記台座の長さ方向に対して斜交して対向位置している請求項１記載の基板用コネクタ。
【請求項３】
前記連続構造体には、隣り合う二つの前記端子保持部間において幅方向両側からそれぞれ内方に向かって切れ込む括れ状の切欠部が設けられており、該切欠部で前記連続構造体の幅方向寸法が小さくされることによって前記連結部が形成されている請求項１又は２に記載の基板用コネクタ。
【請求項４】
前記連続構造体の幅方向両側に設けられた前記切欠部が何れも断面が直角三角形状とされており、両側の直角三角形状の一辺が該連続構造体の幅方向に延びる一つの直線上でそれぞれ内方に向かって延びる幅方向切込辺とされていると共に、両側の直角三角形状の他辺が各前記幅方向切込辺の先端から該連続構造体の長さ方向で互いに反対側に向かってそれぞれ傾斜して延びる傾斜辺とされている一方、前記各切欠部における前記幅方向切込辺に接する位置にそれぞれ前記脚部が突設されている請求項３に記載の基板用コネクタ。
【請求項５】
各前記端子保持部において、複数の端子が前記台座の幅方向に並列状態で貫通固定されている請求項１乃至３の何れか１項に記載載の基板用コネクタ。
【請求項６】
端子保持部が該端子保持部よりも断面の小さい連結部を介して連なった合成樹脂製の帯状の連続構造体を有していると共に、前記端子保持部にそれぞれ端子が貫通固定されており、前記連結部において適当な長さで切断されることによって、複数の前記端子保持部が連なった所定長さの台座を備えた基板用コネクタを形成し得る、基板用コネクタ連続体であって、
各前記端子保持部には、前記連続構造体の幅方向両側でそれぞれ下側に向かって突出する脚部が一体形成されており、前記脚部が何れも前記連続構造体の長さ方向で各前記端子間に位置していることを特徴とする基板用コネクタ連続体。
【発明の詳細な説明】
【技術分野】
【０００１】
本発明は、基板用コネクタ及び適当な長さで切断されることによって基板用コネクタを形成する基板用コネクタ連続体に関するものである。
【背景技術】
【０００２】
従来から、特許文献１（特開２００２−２７０９８６号公報）や特許文献２（特開２００８−３５６６９号公報）に記載されているように、複数本の端子が合成樹脂製の台座に貫通固定された構造の基板用コネクタが知られている。かかる基板用コネクタは、台座がプリント基板の実装面上に載置された状態で、端子がプリント基板に形成された挿通孔に挿通される。この状態で、端子がプリント基板の導体パターンに半田付けされることにより、基板用コネクタがプリント基板に組み付けられる。
【０００３】
ところで、特許文献１や特許文献２に記載の如き従来構造の基板用コネクタにおいては、基板用コネクタに要求される端子の数、即ち、基板用コネクタの種類にあわせて、専用品として製造する必要があった。それ故、製品毎に専用の金型を準備しなければならず、製造コストが高くなるという問題があった。また、多種類の基板用コネクタが存在することになるので、製品管理が煩雑になったり、保管スペースの確保が難しくなる等の問題もあった。
【先行技術文献】
【特許文献】
【０００４】
【特許文献１】特開２００２−２７０９８６号公報
【特許文献２】特開２００８−３５６６９号公報
【発明の概要】
【発明が解決しようとする課題】
【０００５】
ここにおいて、本発明は、上述の如き事情を背景として為されたものであって、その解決課題とするところは、要求される端子の数にあわせて、任意の連結部で切断することにより、そのまま所望の基板用コネクタとして用いることが出来る汎用性のある新規な構造の基板用コネクタ及びかかる基板用コネクタの製造に用いることが出来る基板用コネクタ連続体を提供することにある。
【課題を解決するための手段】
【０００６】
以下、このような課題を解決するために為された本発明の態様を記載する。なお、以下に記載の各態様において採用される構成要素は、可能な限り任意の組み合わせで採用可能である。
【０００７】
基板用コネクタに関する本発明は、合成樹脂製の台座に対して複数本の端子が貫通固定されており、台座がプリント基板の実装面上に載置されると共に、端子がプリント基板に形成された挿通孔に挿通されて半田付けされることによりプリント基板に組み付けられる基板用コネクタにおいて、端子保持部が端子保持部よりも断面の小さい連結部を介して連なった帯状の連続構造体が、連結部において適当な長さで切断されることにより、複数の端子保持部が連なった所定長さをもって台座が形成されていると共に、各端子が台座の長さ方向に対して直交する方向で各端子保持部に貫通固定されており、更に、各端子保持部には、台座の幅方向両側でそれぞれプリント基板に向かって突出する脚部が一体成形されており、脚部が何れも台座の長さ方向で各端子間に位置していることを、特徴とする。
【０００８】
このような本発明に従う構造とされた基板用コネクタにおいては、連続構造体が連結部において適当な長さに切断されることで形成される台座を備えていることから、連結構造体を必要な端子の数にあわせて任意の連結部で切断することによって、そのまま基板用コネクタとして用いることが出来る。これにより、基板用コネクタの汎用化が可能となる。その結果、基板用コネクタの種類毎に各別の金型を必要とした従来の基板用コネクタに比して、製造工程や製品管理の大幅な簡略化を実現することが出来る。加えて、製造コストを大幅に削減することが出来る。
【０００９】
また、各端子保持部に脚部が一体形成されているので、連結構造体を何れの連結部で切断した場合であっても、プリント基板上での基板用コネクタの安定した設置状態を同じ条件で実現することが出来る。
【００１０】
さらに、何れの脚部も台座の長さ方向で各端子間に位置していることから、脚部を端子の半田付け部分から離隔させることが出来る。これにより、端子の半田付けに際して、脚部が半田の熱で溶ける等の不具合を防止することが可能となる。また、プリント基板に形成された挿通孔を通じての半田上がりを許容することも出来るし、かかる半田上がりの目視での確認も容易になる。
【００１１】
なお、本発明において、「断面」とは、連続構造体の長手方向に直交する方向での断面をいう。また、本発明において、連結部の断面を端子保持部の断面よりも小さくする方法としては、連結部における連続構造体の幅方向での寸法と高さ方向（連続構造体の長さ方向と幅方向の両方に直交する方向）での寸法の少なくとも一方を端子保持部の当該寸法よりも小さくすることが考えられる。
【００１２】
また、本発明において、脚部は、連続構造体の幅方向両側面に沿った状態で設けられていても良いが、連続構造体の幅方向両側面から幅方向外方に突出した状態で設けられていてもよい。これにより、連続構造体の幅方向寸法を必要以上に大きくすることなく、端子保持部の幅方向両側に設けられた脚部の離隔距離を確保することができる。その結果、プリント基板上での基板用コネクタの設置状態の安定性を向上させることが可能となる。
【００１３】
さらに、本発明において、端子を端子保持部に貫通固定する方法としては、端子保持部と端子をインサート成形する方法や、端子保持部とは別体で形成された端子を端子保持部に圧入固定する方法が採用され得る。
【００１４】
更にまた、基板用コネクタに関する本発明においては、端子保持部において、台座の幅方向両側に設けられた脚部が、端子を挟んで、台座の長さ方向に対して斜交して対向位置している態様が、好適に採用される。これにより、各脚部を端子の半田付け部分から出来るだけ遠くに離すことが出来る。その結果、端子の半田付けに際して、各脚部が半田の熱で溶ける等の不具合を防止することが可能となる。また、プリント基板上での基板用コネクタの安定した設置状態を実現し得る。
【００１５】
さらに、基板用コネクタに関する本発明においては、連続構造体には、隣り合う二つの端子保持部間において幅方向両側からそれぞれ内方に向かって切れ込む括れ状の切欠部が設けられており、切欠部で連続構造体の幅方向寸法が小さくされることによって連結部が形成されている態様が、好適に採用される。かかる態様を採用すれば、連続構造体を任意の切欠部で曲げることが容易に出来る。その結果、連続構造体をリール状に巻き取って保存することが可能となる。
【００１６】
なお、切欠部は、幅方向内方に向かって切れ込む括れ状であれば、特に限定されるものではないが、成形性や連結部の切断容易性の観点から、連続構造体の高さ方向（連続構造体の長さ方向と幅方向の両方に直交する方向）全長に亘って、略一定の断面形状でストレートに延びる凹溝形状が、好適に採用される。
【００１７】
そこにおいて、連続構造体の幅方向両側に設けられた切欠部が何れも断面が直角三角形状とされており、両側の直角三角形状の一辺が連続構造体の幅方向に延びる一つの直線上でそれぞれ内方に向かって延びる幅方向切込辺とされていると共に、両側の直角三角形状の他辺が各幅方向切込辺の先端から連続構造体の長さ方向で互いに反対側に向かってそれぞれ傾斜して延びる傾斜辺とされている一方、各切欠部における幅方向切込辺に接する位置にそれぞれ脚部が突設されている態様が、好適に採用される。
【００１８】
かかる態様においては、端子保持部の体積を確保しつつ、連続構造体の連結部での切断が容易となるように切欠部を設けることが出来る。その結果、端子保持部の剛性確保と連続構造体の連結部での切断のし易さを両立することが可能となる。
【００１９】
また、幅方向切込辺に接する位置に脚部が設けられていることから、端子保持部の幅方向における脚部の離隔距離を十分に確保することが出来る。その結果、基板用コネクタのプリント基板上での安定した設置が容易になる。また、端子の半田付けに際して、脚部が半田の熱による悪影響を受け難くすることが出来る。      
【００２０】
さらに、幅方向切込辺と傾斜辺の為す角度は、３０°〜６０°の範囲が望ましい。即ち、幅方向切込辺と傾斜辺の為す角度が３０°よりも小さい場合には、連続構造体の成形が難しくなると共に、連結部における切断が行い難くなる。一方、幅方向切込辺と傾斜辺の為す角度が６０°よりも大きい場合には、端子保持部の体積が小さくされることから、端子保持部による端子保持力が充分に確保し難くなる場合がある。特に、端子の半田付けに際して、端子保持部が加熱される場合に、端子保持力が問題となるおそれがある。
【００２１】
また、基板用コネクタに関する本発明においては、各端子保持部において、複数の端子が台座の幅方向に並列状態で貫通固定されている態様を、採用しても良い。
【００２２】
更にまた、基板用コネクタ連続体に関する本発明は、端子保持部が端子保持部よりも断面の小さい連結部を介して連なった合成樹脂製の帯状の連続構造体を有していると共に、端子保持部にそれぞれ端子が貫通固定されており、連結部において適当な長さで切断されることによって、複数の端子保持部が連なった所定長さの台座を備えた基板用コネクタを形成し得る、基板用コネクタ連続体であって、各端子保持部には、連続構造体の幅方向両側でそれぞれ下側に向かって突出する脚部が一体形成されており、脚部が何れも連続構造体の長さ方向で各前記端子間に位置していることを、特徴とする。
【００２３】
このような本発明に従う構造とされた基板用コネクタ連続体を採用すれば、前述の如き本発明の基板用コネクタを容易に形成することが出来る。
【００２４】
なお、本発明における各構成は、前述の如き基板用コネクタに関する本発明において対応する各構成と同様に定義される。
【図面の簡単な説明】
【００２５】
【図１】第一の実施形態としての基板用コネクタ連続体の正面図。
【図２】同基板用コネクタ連続体の平面図。
【図３】同基板用コネクタ連続体の底面図。
【図４】図２におけるＩＶ−ＩＶ方向の断面図。
【図５】同基板用コネクタ連続体の要部拡大平面図。
【図６】同基板用コネクタ連続体を切断することで形成された基板用コネクタを示す正面図。
【図７】同基板用コネクタが基板に実装された状態を示す側面図。
【図８】第二の実施形態としての基板用コネクタ連続体の正面図。
【図９】同基板用コネクタ連続体の平面図。
【図１０】同基板用コネクタ連続体の底面図。
【図１１】同基板用コネクタ連続体の要部拡大平面図。
【図１２】第三の実施形態としての基板用コネクタ連続体の正面図。
【図１３】同基板用コネクタ連続体の平面図。
【図１４】同基板用コネクタ連続体の底面図。
【図１５】連続構造体の高さ方向の端面に切欠部が形成された態様を示す正面図。
【発明を実施するための形態】
【００２６】
以下、本発明を更に具体的に明らかにするために、本発明の実施形態について、図面を参照しつつ、詳細に説明する。
【００２７】
図１乃至５には、本発明の第一の実施形態としての基板用コネクタ連続体１０が示されている。基板用コネクタ連続体１０は、多数の端子１２が連続構造体１４に貫通固定された構造とされている。そして、連続構造体１４が適当な位置で切断されることにより、図６に示されているように、複数の端子１２が台座１６に貫通固定された構造の基板用コネクタ１８が形成される。
【００２８】
より詳細には、端子１２は、略一定断面で長手方向に連続して延びる線状部材を適当な長さで切断した線材端子であり、導電性材料で形成されている。本実施形態の端子１２は、銅製であって、長さ方向の中間部分が正方形断面でストレートに延びている。
【００２９】
一方、連続構造体１４は、長さ方向（図１中の左右方向）の寸法が、高さ方向（図１中の上下方向）や幅方向（図１において、紙面に垂直な方向）の寸法よりも、十分に大きくされた帯状を呈しており、非導電性の合成樹脂材料で形成されている。
【００３０】
かかる連続構造体１４には、長さ方向に適当な間隔をあけて、幅方向両側からそれぞれ内方に向かって切れ込む括れ状の切欠部２２が形成されている。より詳しくは、切欠部２２は、連続構造体１４の幅方向両側面に開口して、連続構造体１４の高さ方向の全長に亘って略一定の直角三角形状でストレートに延びている。
【００３１】
図５に示されるとおり、連続構造体１４の高さ方向から見た切欠部２２は、連続構造体１４の幅方向内方向かって延びる幅方向切込辺２４と、かかる幅方向切込辺２４の一端（連続構造体１４の幅方向の内方端）から連続構造体１４の長さ方向に対して傾斜した方向に延びる傾斜辺２６とを備えた直角三角形状とされている。即ち、本実施形態の切欠部２２は、幅方向切込辺２４を構成する幅方向平坦面２８と、傾斜辺２６を構成する傾斜面３０によって、形成されている。
【００３２】
さらに、連続構造体１４の幅方向両側に形成された切欠部２２は、それぞれの幅方向切込辺２４が連続構造体１４の幅方向に延びる一つの直線上に位置しており、各切欠部２２を構成する幅方向平坦面２８が連続構造体１４の長さ方向で対応する位置に形成されている。一方、それぞれ傾斜辺２６は、幅方向切込辺２４の内方端から、連続構造体１４の長さ方向で互いに反対側に向かって延びており、傾斜面３０が、それぞれ幅方向平坦面２８から反対側に向かって広がっている。
【００３３】
なお、各切欠部２２を構成する幅方向平坦面２８と傾斜面３０の為す角度：αは、３０°〜６０°の範囲に設定されていることが望ましい。即ち、幅方向平坦面２８と傾斜面３０の為す角度：αが、３０°よりも小さいと、連続構造体１４の成形が困難となると共に、連結部３２における切断容易性が悪くなる。一方、幅方向平坦面２８と傾斜面３０の為す角度：αが、６０°よりも大きいと、端子保持部３４の体積が小さくされることから、端子保持部３４による端子１２を保持する力が十分に発揮され難くなる。特に、端子１２を後述するプリント基板３８に対して半田付けする際に、端子保持部３４が加熱される場合には、かかる端子保持力が問題となるおそれがある。因みに、本実施形態では、幅方向平坦面２８と傾斜面３０の為す角度：αが４５°に設定されている。即ち、本実施形態では、切欠部２２の溝幅方向（連続構造体１４の長さ方向）の寸法と深さ方向（連続構造体１４の幅方向）の寸法が同じとされている。
【００３４】
上述の如く、連続構造体１４の幅方向両側に切欠部２２が形成されることにより、連続構造体１４の幅方向寸法が、幅方向切込辺２４が対向位置する部位で最も小さくされており、かかる部位により連結部３２が構成されている。この連結部３２が連続構造体１４の長さ方向で、適当な間隔で多数設けられることにより、それら連結部３２間において、端子保持部３４が形成されている。即ち、連続構造体１４は、端子保持部３４と連結部３２が交互に並んだ構造とされている。
【００３５】
そこにおいて、連結部３２の幅方向寸法：Ｌ２は、端子保持部３４の幅方向寸法：Ｌ１の半分よりも小さくされていることが望ましい。これにより、連続構造体１４の連結部３２での切断を容易にすることが出来ると共に、連続構造体１４の幅方向に十分な可撓性を与えることが出来る。因みに、本実施形態では、連結部３２の幅方向寸法：Ｌ２は、後述の如く端子保持部３４に貫通固定される端子１２の幅方向寸法（連続構造体１４の幅方向での寸法）より若干大きくされている。
【００３６】
また、各端子保持部３４には、連続構造体１４の幅方向両側のそれぞれにおいて、一つの脚部３６が一体形成されている。一対の脚部３６，３６は、それぞれ、略一定の断面形状で端子保持部３４の高さ方向にストレートに延びており、端子保持部３４の高さ方向一方（図１における下方）の側に突出している。
【００３７】
そこにおいて、各脚部３６は、図５に示されているとおり、端子保持部３４の幅方向（連続構造体１４の幅方向）の端面よりも幅方向外方に突出している。本実施形態では、端子保持部３４の幅方向での脚部３６の突出高さ：Ｈ１は、脚部３６における端子保持部３４の幅方向での寸法：Ｈ２の略半分の大きさとされている。これにより、各脚部３６のプリント基板３８（図７参照）への当接面積を必要以上に大きくすることなく、端子保持部３４の幅方向両側での脚部３６，３６の離隔距離を大きく確保して、プリント基板３８上に端子保持部３４を安定して載置することが可能となる。
【００３８】
更にまた、一対の脚部３６，３６は、連続構造体１４の長さ方向に対して斜交して対向位置している。特に本実施形態では、連続構造体１４の高さ方向から見た切欠部２２における幅方向切込辺２４に接する位置に脚部３６が位置している（図５参照）。
【００３９】
このような連続構造体１４を構成する各端子保持部３４に対して、１本の端子１２が連続構造体１４（端子保持部３４）を高さ方向に貫通する状態で固定されている。これにより、多数本の端子１２が連続構造体１４の長さ方向に所定の間隔（コネクタピッチ）で整列された基板用コネクタ連続体１０が形成される。特に本実施形態では、各端子保持部３４の中央部分を高さ方向に貫通するようにして、１本の端子１２が固定されている。これにより、各端子保持部３４に設けられた一対の脚部３６，３６が、端子１２の固定位置を中心に点対称となる位置に存在している。即ち、本実施形態では、各端子保持部３４に設けられた一対の脚部３６，３６は、端子１２を挟んで、連続構造体１４の長さ方向に対して斜交して対向位置している。また、各端子保持部３４に設けられた一対の脚部３６，３６は、連続構造体１４の長さ方向で隣に位置する端子保持部３４に貫通固定された端子１２の間に位置している。更にまた、連続構造体１４の幅方向両側に形成された切欠部２２は、それぞれ、連続構造体１４の長さ方向で隣り合う二つの端子１２，１２の間に位置している。
【００４０】
そこにおいて、端子１２を連続構造体１４（端子保持部３４）に貫通固定する方法としては、端子１２を連続構造体１４にインサート成形する方法が好適に採用される。なお、多数の端子保持部３４が連なった連続構造体１４の成形は、例えば、所定数の端子１２が設けられた成形品を成形可能なキャビティを有する成形金型を用い、先の成形で得られた成形品の端部を蓋として利用して、連続成形すること等によって、有利に為される。
【００４１】
そして、上述の如き構造とされた基板用コネクタ連続体１０を、ニッパーやカッター、分断金型等の適当な切断手段によって任意の連結部３２で切断することにより、図６に示されているように、複数の端子保持部３４が連なった構造の台座１６を有する基板用コネクタ１８が形成される。
【００４２】
このようにして形成された基板用コネクタ１８は、図７に示されているように、端子１２がプリント基板３８に形成された挿通孔４０に挿通された状態で、台座１６がプリント基板３８の実装面上に載置されることにより、プリント基板３８に組み付けられる。そして、この状態で、端子１２がプリント基板３８の導体パターンに半田付けされることにより、基板用コネクタ１８とプリント基板３８の導体パターンが電気的に接続される。
【００４３】
なお、プリント基板３８は、従来から公知のプリント基板である。因みに、本実施形態のプリント基板３８は、絶縁基板の表裏両面に導体パターンが形成された両面プリント基板で構成されている。
【００４４】
上述の如き構造とされた基板用コネクタ連続体１０においては、任意の連結部３２で連続構造体１４を切断するだけで、そのままプリント基板３８に実装可能な基板用コネクタ１８を得ることが出来る。従って、本実施形態の基板用コネクタ１８は、従来構造の基板用コネクタ、即ち、専用品として製造される基板用コネクタに比して、非常に汎用性に優れている。その結果、製造工程や製品管理の簡略化を飛躍的に進歩させることが出来る。加えて、製造コストの大幅な削減を図ることも可能となる。
【００４５】
また、基板用コネクタ１８の台座１６を構成する各端子保持部３４において、一対の脚部３６，３６が設けられていることから、何れの連結部３２で連続構造体１４を切断した場合であっても、得られた基板用コネクタ１８のプリント基板３８上での安定した設置状態を実現することが出来る。
【００４６】
さらに、何れの脚部３６も、台座１６の長さ方向で、隣り合う二つの端子１２，１２間に位置していることから、脚部３６を端子１２の半田付け部分から離すことが出来る。その結果、脚部３６が端子１２の半田付けの際に熱による被害を受け難くすることが可能となる。また、プリント基板３８の挿通孔４０を通じての半田上がりを許容することが出来ると共に、かかる半田上がりを目視で確認することも容易になる。
【００４７】
また、本実施形態では、連続構造体１４の幅方向両側に切欠部２２が設けられていることから、連続構造体１４が幅方向に曲げ易くなっている。これにより、基板用コネクタ連続体１０をリール状に巻き取って保存することが可能となる。
【００４８】
さらに、図５に示すとおり、連続構造体１４の幅方向両側に設けられた切欠部２２が何れも直角三角形状とされており、それら切欠部２２の幅方向切込辺２４が連続構造体１４の幅方向に延びる一つの直線上でそれぞれ内方に向かって延びる一方、傾斜辺２６が、連続構造体１４の長さ方向で互いに反対側に向かって延びている。これにより、端子保持部３４の体積を確保しながら、連続構造体１４の連結部３２を脆弱化できる。その結果、端子保持部３４の剛性の確保と連続構造体１４の連結部３２における切断の容易さを両立させることが出来る。
【００４９】
次に、本発明の第二の実施形態としての基板用コネクタ連続体４２について、図８乃至１１に基づいて、説明する。なお、以下に記載の第二の実施形態及び後述する第三の実施形態において、第一の実施形態と同様な構造とされた部材及び部位については、図中に、第一の実施形態と同一の符号を付すことにより、それらの詳細な説明を省略する。
【００５０】
本実施形態の基板用コネクタ連続体４２は、第一の実施形態の基板用コネクタ連続体（１０）に比して、脚部３６の形状が異なっている。より詳細には、本実施形態の脚部３６は、連続構造体１４の幅方向両側面から幅方向外方に突出することなく設けられている。
【００５１】
また、本実施形態では、各脚部３６は、突出方向に直交する方向での断面（横断面）が直角三角形状とされている。そして、本実施形態では、脚部３６を突出方向から見た際の斜辺を構成する側面４４が端子１２を挟んで対向するように、一対の脚部３６，３６が設けられている。
【００５２】
さらに、本実施形態では、端子１２を挟んで対向位置する一対の側面４４，４４の離隔距離が、連続構造体１４から離れるに従って次第に大きくなっている。これにより、本実施形態では、各脚部３６の横断面が基端側から突出端側へ行くに従って次第に小さくなっている。
【００５３】
このような構造とされた基板用コネクタ連続体４２においても、任意の連結部３２で連続構造体１４を切断することによって、そのまま用いることが可能な基板用コネクタを形成することが出来る。従って、本実施形態でも、第一の実施形態と同様な効果を得ることが出来る。
【００５４】
そこにおいて、本実施形態では、各脚部３６が端子保持部３４の幅方向両側面と面一の状態で端子保持部３４の高さ方向一方の側へ突出していることから、基板用コネクタとしての幅方向寸法を小さくすることが出来る。その結果、基板用コネクタのプリント基板３８上での配設スペースを確保し易くなる。
【００５５】
また、本実施形態では、端子１２を挟んで対向位置する一対の側面４４，４４の離隔距離が、連続構造体１４から離れるに従って次第に大きくなっていることから、各脚部３６を端子１２の半田付け部分から離すことが出来る。その結果、端子１２の半田付けに際して、脚部３６が半田の熱で溶ける等の不具合を回避することが可能となる。また、端子１２の半田付けに際しての半田上がりを許容することが出来ると共に、かかる半田上がりの目視での確認も容易になる。加えて、各脚部３６のプリント基板３８への当接面積も小さくされることから、プリント基板３８の回路配索面積を確保することができる。
【００５６】
続いて、本発明の第三の実施形態としての基板用コネクタ連続体４６について、図１２乃至１４に基づいて、説明する。
【００５７】
本実施形態の基板用コネクタ連続体４６においては、各端子保持部３４に端子１２が２本ずつ連続構造体１４を高さ方向に貫通する状態で固定されている。各端子保持部３４に貫通固定された２本の端子１２は、連続構造体１４の幅方向に延びる１つの直線上で並んで設けられている。これにより、基板用コネクタ連続体４６においては、多数本の端子１２が、連続構造体１４の長さ方向に所定の間隔で２列設けられている。
【００５８】
このような構造とされた基板用コネクタ連続体４６においても、任意の連結部３２で連続構造体１４を切断することによって、そのまま用いることが可能な基板用コネクタを形成することが出来る。従って、本実施形態でも、第一の実施形態と同様な効果を得ることが出来る。
【００５９】
以上、本発明の幾つかの実施形態について詳述してきたが、これらはあくまでも例示であって、本発明は、かかる実施形態における具体的な記載によって、何等、限定的に解釈されるものではない。
【００６０】
例えば、前記第一乃至第三の実施形態において、切欠部２２が連続構造体１４の幅方向一方の側だけに設けられていても良い。更に、前記第一乃至第三の実施形態において、連続構造体１４の幅方向両側に設けられた切欠部２２は、端子１２の並ぶ方向に延びる直線を挟んで対称とされていても良い。
【００６１】
更にまた、切欠部２２は、図１５に示されているように、連続構造体１４の高さ方向の端面に形成されていても良い。このような態様であっても、連結部３２の断面を端子保持部３４の断面よりも小さくすることが出来る。なお、理解を容易にするために、図１５では、第一の実施形態と同様な構造とされた部材及び部位については、図中に、第一の実施形態と同一の符号を付してある。
【００６２】
また、前記第一乃至第三の実施形態において、端子保持部３４に適当な貫通孔を形成しておき、かかる貫通孔に端子１２を圧入固定することで、端子保持部３４に端子１２を貫通固定しても良い。
【符号の説明】
【００６３】
１０：基板用コネクタ連続体，１２：端子，１４：連続構造体，１６：台座，１８：基板用コネクタ，２２：切欠部，２４：幅方向切込辺，２６：傾斜辺，３２：連結部，３４：端子保持部，３６：脚部，３８：プリント基板，４０：挿通孔，４２：基板用コネクタ連続体，４６：基板用コネクタ連続体
【図１】
2010161042.tif 000003
【図２】
2010161042.tif 000004
【図３】
2010161042.tif 000005
【図４】
2010161042.tif 000006
【図５】
2010161042.tif 000007
【図６】
2010161042.tif 000008
【図７】
2010161042.tif 000009
【図８】
2010161042.tif 000010
【図９】
2010161042.tif 000011
【図１０】
2010161042.tif 000012
【図１１】
2010161042.tif 000013
【図１２】
2010161042.tif 000014
【図１３】
2010161042.tif 000015
【図１４】
2010161042.tif 000016
【図１５】
2010161042.tif 000017